(57)【要約】【課題】歩行を妨げることなく歩行者の手指に消毒液を供給できる手指消毒器を提供する。【解決手段】歩行者の手指に消毒液を供給する手指消毒器１０であって、上面と前面及び後面とがそれぞれ開口して延在し、歩行者の手の通過を許容する雨樋状の本体部２０と、本体部２０の前面開口２０Ａの近傍に設けられ、前面開口２０Ａから本体部２０の消毒空間２４に侵入した手指を検出するセンサ２５と、センサ２５より歩行者の進行方向Ｘの前方側の本体部２０の側板部２１の内面２１Ａに設けられ、センサ２５の検出に応じて消毒液を噴射する噴射ノズル２６と、消毒液を噴射ノズル２６から噴射させるポンプ３４と、を備える。【選択図】図２
2020025771.tif 000002
【特許請求の範囲】
【請求項１】
歩行者の手指に消毒液を供給する手指消毒器であって、
上方と両端が開口して延在し、歩行者の手の通過を許容する雨樋状の本体部と、
該本体部の端部の開口近傍に設けられ、該端部から該本体部に侵入した手を検出するセンサと、
該センサより歩行者の進行方向前方側の該本体部の内壁に設けられ、該センサの手の検出に応じて該消毒液を噴射する噴射ノズルと、
該消毒液を該噴射ノズルから噴射させるポンプと、を備える手指消毒器。
【請求項２】
該消毒液を貯留するタンクを更に備える請求項１に記載の手指消毒器。
【請求項３】
該噴射ノズルは、該本体部の該歩行者側の内壁から、反対側の内壁に向かって噴射される請求項１又は２に記載の手指消毒器。
【発明の詳細な説明】
【技術分野】
【０００１】
本発明は、手指消毒器に関する。
【背景技術】
【０００２】
一般に、病院、福祉施設、会社、ホテル、銀行などのように公衆が出入する施設の入口には、入館者の手指を消毒する消毒液が備えられていることがある。消毒液を供給するための手指消毒器として、従来、足踏みによって操作ヘッドを押圧してタンク内の消毒液を噴射するもの（例えば、特許文献１参照）や、センサの下に手指をかざすことにより、ポンプが作動して手指に消毒液を噴射するもの（例えば、特許文献２参照）が知られている。
【先行技術文献】
【特許文献】
【０００３】
【特許文献１】特許第５３８６７３０号公報
【特許文献２】特許第３７３５４１９号公報
【発明の概要】
【発明が解決しようとする課題】
【０００４】
この種の手指消毒器を使用する場合、基本的に歩行者は歩行を停止して手指消毒器に正対した状態で消毒液を手に噴射する必要があるため、使用者のスムーズな動線を停止させることとなる。このため、多くの人が通行する場所では、歩行を妨げて渋滞を引き起こしてしまったり、一旦停止することが面倒に感じられるため手指消毒を省略されてしまったりしやすい。また、下向きに噴射された消毒液は手指から外れると、床やテーブルに垂れ、床やテーブルの染みの原因になったりする。
【０００５】
本発明は、上記に鑑みてなされたものであって、歩行を妨げることなく歩行者の手指に消毒液を供給できる手指消毒器を提供することを目的とする。
【課題を解決するための手段】
【０００６】
上述した課題を解決し、目的を達成するために、本発明に係る手指消毒器は、歩行者の手指に消毒液を供給する手指消毒器であって、上方と両端が開口して延在し、歩行者の手の通過を許容する雨樋状の本体部と、該本体部の端部の開口近傍に設けられ、該端部から該本体部に侵入した手を検出するセンサと、該センサより歩行者の進行方向前方側の該本体部の内壁に設けられ、該センサの手の検出に応じて該消毒液を噴射する噴射ノズルと、該消毒液を該噴射ノズルから噴射させるポンプと、を備えるものである。
【０００７】
この構成によれば、歩行者の進行方向に沿って延在する雨樋状の本体部と、本体部に侵入した手を検出するセンサと、センサより歩行者の進行方向前方側に配置されて該センサの手の検出に応じて消毒液を噴射する噴射ノズルとを備えることにより、歩行者が歩行しながら本体部に手指を通すだけで、進行方向前方で手指に消毒液を吹き付けることができるため、歩行を妨げることなく歩行者の手指に消毒液を供給することができるという効果を奏する。また、歩行者の進行方向に合わせてセンサと噴射ノズルの位置を設定するため、適切なタイミングで噴射を実施できる。また、本体部は、雨樋状になっているため、手指から外れて噴射された消毒液は本体部の底部に溜まる。このため消毒液の排出が容易となり、さらには消毒液の気化も促せる。
【０００８】
この構成において、消毒液を貯留するタンクを更に備えてもよい。この構成によれば、タンク内に消毒液を定期的に供給することにより手指消毒器の保守管理が容易となる。
【０００９】
また、該噴射ノズルは、該本体部の該歩行者側の内壁から、反対側の内壁に向かって噴射される構成としてもよい。この構成によれば、人体構造上、歩行者の手のひらの向きは自然と噴射ノズル側に向き易くなるため、片方の手のひらに消毒液を容易に供給でき、この消毒液を両方の手のひらを利用して手指全体に摺り込むことができる。
【発明の効果】
【００１０】
本発明によれば、歩行者の進行方向に沿って延在する雨樋状の本体部と、本体部に侵入した手を検出するセンサと、センサより歩行者の進行方向前方側に配置されて該センサの手の検出に応じて消毒液を噴射する噴射ノズルとを備えることにより、歩行者が歩行しながら本体部に手指を通すだけで、進行方向前方で手指に消毒液を吹き付けることができるため、歩行を妨げることなく歩行者の手指に消毒液を供給することができるという効果を奏する。
【図面の簡単な説明】
【００１１】
【図１】図１は、本実施形態に係る手指消毒器が使用される状態を示す模式図である。
【図２】図２は、手指消毒器の構成を模式的に示す斜視図である。
【図３】図３は、手指消毒器の動作を説明するための模式図である。
【図４】図４は、別の実施形態に係る手指消毒器の本体部を示す模式図である。
【発明を実施するための形態】
【００１２】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１３】
本実施形態に係る手指消毒器について説明する。図１は、本実施形態に係る手指消毒器が使用される状態を示す模式図である。図２は、手指消毒器の構成を模式的に示す斜視図である。手指消毒器１０は、例えば、病院、福祉施設、ホテル、銀行などの公共施設、オフィスまたは学校のような多数の人が利用する建物の玄関や入口等に配置される。図１に示すように、手指消毒器１０は、歩行を停止することなく歩行者１の手指２に消毒液３を供給するものであり、設置台部３０と、この設置台部３０の上に配置される本体部２０とを備える。本体部２０の下方には脚部１１が設けられ、この脚部１１を介して設置台部３０の上に本体部２０が配置されている。
【００１４】
本体部２０は、図２に示すように、互いに対向して配置される一対の側板部２１，２２と、これら側板部２１，２２の下端に連結される底板部２３とを備え、この底板部２３は下方に湾曲形成されている。このため、本体部２０は、上面（上方）、前面及び背面（両端）がそれぞれ開口した雨樋状に形成され、この雨樋状の本体部２０には、側板部２１，２２及び底板部２３で規定される消毒空間２４が形成される。
【００１５】
本体部２０は、歩行者の進行方向Ｘに沿って、前面開口２０Ａ、消毒空間２４及び後面開口２０Ｂが順に並ぶように配置されるため、本体部２０の消毒空間２４に歩行者１の手の通過が許容される。歩行者１は、歩行したまま本体部２０の消毒空間２４に手指２を侵入させることにより手指２に消毒液３が供給される。
【００１６】
本体部２０の前面開口２０Ａの近傍には、この前面開口２０Ａを通じて本体部２０の消毒空間２４に侵入した手指２を検出するセンサ２５が配置されている。このセンサ２５は、発光部及び受光部を有する反射型の光センサからなり、発光部から出力された光が手指２で反射して受光部に入力されることで手指２の侵入を検知する。本実施形態では、センサとして反射型の光センサを用いたが、手指２の侵入を検出できるのであれば、透過型の光センサや超音波センサなど既知のセンサを用いても良い。
【００１７】
また、本体部２０には、センサ２５よりも歩行者１の進行方向Ｘの前方（後面開口２０Ｂ）側にセンサ２５の検出信号に応じて消毒液３を噴射する噴射ノズル２６が配置されている。この噴射ノズル２６は、センサ２５と共に歩行者側に位置する側板部２１の内面（内壁）２１Ａに設けられており、図１に示すように、側板部２１の内面２１Ａから反対側の側板部２２の内面（内壁）２２Ａに向けて消毒液３を噴射する。
【００１８】
本体部２０の消毒空間２４に手指２を侵入させた状態で本体部２０の横を歩行する場合、人体構造上、歩行者１の手のひらの向きは自然と歩行者１側の側板部２１の内面２１Ａ、すなわち噴射ノズル２６側に向き易くなるため、この手のひらに向けて消毒液を容易に供給できる。ここで、片方の手のひらに消毒液が供給されると、この消毒液は両方の手のひらを利用して両手の手指全体に延ばされ、消毒液を両手の手指２に摺り込むことができる。また、本実施形態では、噴射ノズル２６は、反対側の側板部２２の内面２２Ａの下方に向けて消毒液３を噴射するため、噴射された消毒液３が本体部２０の消毒空間２４の外側に飛散しにくいようになっている。また、本体部２０は、雨樋状になっているため、手指２から外れて噴射された消毒液３は本体部２０の底板部２３の内面２３Ａに溜まる。このため、消毒液３が床に垂れてしまう事態を防止できる。また、底板部２３は下方に湾曲して形成されているため、底板部２３の内面２３Ａに角部が形成されにくいため、消毒液３の排出や内面２３Ａの清掃を容易に行うことができる。また、消毒液３の気化を促すこともできる。
【００１９】
一方、設置台部３０は、図２に示すように、内部空間を有する箱状に形成され、この内部空間に水平に配置された棚板３１には、消毒液３を貯留するタンク３２と、このタンク３２内の消毒液３を噴射ノズル２６に移送するポンプ３４とが配置される。タンク３２は、消毒液３を継ぎ足すことにより補充可能になっている。本実施形態では、消毒液３として、手指２に噴射した後に手洗いの不要な消毒用アルコールが用いられる。タンク３２とポンプ３４の吸込口とはチューブ３３で接続され、ポンプ３４の吐出口と噴射ノズル２６とはチューブ３５で接続されている。ポンプ３４が駆動されると、タンク３２内の消毒液３がチューブ３３及びチューブ３５を通じて噴射ノズル２６から霧状に噴射される。
【００２０】
また、棚板３１には、センサ２５の検出信号に応じてポンプ３４の動作を制御する制御部３６が配置されている。制御部３６は、ＣＰＵ（central  processing  unit）のようなマイクロプロセッサを有し、ＲＯＭに記憶されているコンピュータプログラムを実行して、センサ２５の検出信号を受信すると、ポンプ３４の動作を制御するための制御信号を生成してポンプ３４に出力する。
【００２１】
次に、手指消毒器１０の動作について説明する。図３は、手指消毒器の動作を説明するための模式図である。手指消毒器１０の本体部２０に形成された消毒空間２４に歩行者の手指２が侵入したことがセンサ２５によって検出されると、制御部３６（図２）は、検出タイミングとほぼ同時に噴射ノズル２６から消毒液３の噴射を開始し、手指２がセンサ２５から噴射ノズル２６までの移動に要する時間ｔ以上、消毒液３の噴射を継続する。この構成によれば、本体部２０の前面開口２０Ａ側でセンサ２５によって手指２の侵入が検知されると、ほぼ同時に進行方向前方側に設けられた噴射ノズル２６から消毒液３が噴射されるため、歩行者が本体部２０の前面開口２０Ａで立ち止まってしまうことが低減され、本体部２０の消毒空間２４を歩行者がスムーズに通過するように誘導できる。このため、歩行者の歩行を妨げることなく手指２に消毒液を供給することができる。
【００２２】
消毒液３の噴射タイミングは適宜変更することができ、例えば、本体部２０の消毒空間２４に手指２を通過させて歩行する際の平均速度のデータを実験などによって取得しておき、手指２の侵入を検出した後、このデータに基づいた時間だけ遅れて消毒液３を噴射してもよい。
【００２３】
次に、別の実施形態について説明する。図４は、別の実施形態に係る手指消毒器の本体部を示す模式図である。上記した実施形態では、歩行者１は、所定の進行方向Ｘに歩行することを想定した構成としたが、この別の実施形態では、所定の進行方向Ｘ１と、この進行方向Ｘ１と反対の進行方向Ｘ２への通行を許容するものである。この手指消毒器１００は、例えば、ホテルのロビーや駅の構内などの人の流れが規制できない場所に配置するのが有効である。
【００２４】
この別の実施形態では、本体部２０は、前面開口２０Ａ側及び後面開口２０Ｂ側にそれぞれセンサ２５Ａ，２５Ｂが設けられている。このセンサ２５Ａは、前面開口２０Ａから侵入した歩行者を検出し、このセンサ２５Ｂは、後面開口２０Ｂから侵入した歩行者を検出する。また、センサ２５Ａよりも進行方向Ｘ１の前方には、センサ２５Ａの検出によって消毒液３を噴射する複数（３つ）の噴射ノズル２６Ａが配置されている。また、センサ２５Ｂよりも進行方向Ｘ２の前方には、センサ２５Ｂの検出によって消毒液３を噴射する複数（３つ）の噴射ノズル２６Ｂが配置されている。この噴射ノズル２６Ａ，２６Ｂの数は適宜変更してもよい。
【００２５】
また、センサ２５Ａ，２５Ｂ及び噴射ノズル２６Ａ，２６Ｂを側板部２１，２２の一方の内面にまとめて配置しても良いし、例えば、センサ２５Ａと噴射ノズル２６Ａは、側板部２１の内面に配置し、センサ２５Ｂと噴射ノズル２６Ｂは、側板部２２の内面に配置することも可能である。この構成によれば、進行方向Ｘ１に向かう歩行者は側板部２１側を歩行し、進行方向Ｘ２に向かう歩行者は側板部２２側を歩行することで対面通行を規制することができる。
【００２６】
以上、本実施形態の手指消毒器１０は、歩行者１の手指２に消毒液３を供給する手指消毒器１０であって、上面と前面及び後面とがそれぞれ開口して延在し、歩行者１の手の通過を許容する雨樋状の本体部２０と、本体部２０の前面開口２０Ａの近傍に設けられ、前面開口２０Ａから本体部２０の消毒空間２４に侵入した手指２を検出するセンサ２５と、センサ２５より歩行者１の進行方向Ｘの前方側の本体部２０の側板部２１の内面２１Ａに設けられ、センサ２５の検出に応じて消毒液３を噴射する噴射ノズル２６と、消毒液３を噴射ノズル２６から噴射させるポンプ３４と、を備えるため、歩行者１が歩行しながら本体部２０の消毒空間２４に手指２を通すだけで、進行方向Ｘの前方で手指２に消毒液３を吹き付けることができる、このため、歩行を妨げることなく歩行者１の手指２に消毒液３を供給することができるという効果を奏する。
【００２７】
また、歩行者１の進行方向に合わせてセンサ２５と噴射ノズル２６の位置をそれぞれ設定できるため、適切なタイミングでの消毒液３の噴射を実施できる。また、本体部２０は、雨樋状になっているため、手指２から外れて噴射された消毒液３は本体部２０の底板部２３の内面２３Ａに溜まり、消毒液３が床に垂れてしまう事態を防止できる。また、底板部２３は下方に湾曲して形成されているため、底板部２３の内面２３Ａに角部が形成されにくいため、消毒液３の排出や内面２３Ａの清掃を容易に行うことができる。また、消毒液３の気化を促すこともできる。
【００２８】
また、本実施形態によれば、手指消毒器１０は、消毒液３を貯留するタンク３２を備えるため、タンク３２内に消毒液３を定期的に供給することにより手指消毒器１０の保守管理が容易となる。
【００２９】
また、本実施形態によれば、噴射ノズル２６は、本体部２０の歩行者側の側板部２１の内面２１Ａから、反対側の側板部２２の内面２２Ａに向かって噴射されるため、本体部２０の消毒空間２４に手指２を侵入させた状態で本体部２０の横を歩行する場合、人体構造上、歩行者１の手のひらの向きは自然と歩行者１側の側板部２１の内面２１Ａ、すなわち噴射ノズル２６側に向き易くなるため、この手のひらに向けて消毒液を容易に供給でき、この消毒液３を両方の手のひらを利用して手指全体に摺り込むことができる。
【００３０】
なお、本発明は、上記実施形態に限定されるものではない。すなわち、本発明の骨子を逸脱しない範囲で種々変形して実施することができる。例えば、本体部２０の形状は適宜変更することができ、側板部２１，２２の上角部２１Ｂ，２２Ｂに丸み加工を施してもよい。また、本体部２０の底板部２３の内面２３Ａに溜まった消毒液３が外部に流出しないように、底板部２３の前面開口２０Ａ及び後面開口２０Ｂにそれぞれ土手部を設けてもよい。
【符号の説明】
【００３１】
１  歩行者
２  手指
３  消毒液
１０、１００  手指消毒器
２０  本体部
２０Ａ  前面開口（端部）
２０Ｂ  後面開口（端部）
２１  側板部
２１Ａ  内面（内壁）
２２  側板部
２２Ａ  内面（内壁）
２３  底板部
２４  消毒空間
２５、２５Ａ、２５Ｂ  センサ
２６、２６Ａ、２６Ｂ  噴射ノズル
３０  設置台部
３２  タンク
３３、３５  チューブ
３４  ポンプ
３６  制御部
Ｘ、Ｘ１、Ｘ２  進行方向
【図１】
2020025771.tif 000003
【図２】
2020025771.tif 000004
【図３】
2020025771.tif 000005
【図４】
2020025771.tif 000006